(57)【要約】      （修正有）【課題】ゴミ袋を供給するゴミ箱構造の提供。【解決手段】ゴミ袋を供給するゴミ箱構造は、ゴミ箱本体、少なくとも一つのリング２、ロール式ゴミ袋３、からなる。ゴミ箱本体底部は凸座１１を有し、凸座周囲に集水槽１２を形成し、凸座内部壁面は少なくとも一組の係孔１１２を有する。また、ゴミ箱本体頂縁に収束ノッチ１４を設置し、リング両端はフック２１を設置し、ゴミ箱本体の凸座１１の係孔１１２と結合する。ロール式ゴミ袋３はゴミ箱本体の容置空間内に隠蔵され、リング２の支承を受けて固定し、凸座１１の槽孔によりゴミ箱本体内に穿入して使用する。これにより、ゴミ袋を取り出すとき、直接、次のゴミ袋を引き出して使用することができ、ゴミ袋の取り出しが便利で、衛生的に使用できる。【選択図】図３
0003143406.tif 000002
【実用新案登録請求の範囲】
【請求項１】
ゴミ袋を供給するゴミ箱構造であって、
底部が上向けに隆起した凸座を有し、凸座周囲に集水槽を形成し、内部は容置空間を形成し、前記凸座頂面に長槽孔を有し、内部の長壁面は少なくとも一組の係孔を有する両ゴミ箱本体と、
両端にフックを有し、前記ゴミ箱本体の凸座の係孔と結合する少なくとも一つのリングと、
前記ゴミ箱本体の容置空間内に隠蔵され、前記リングの支承を受けて固定し、前記凸座の槽孔によりゴミ箱本体内に穿入するロール式ゴミ袋と、
からなることを特徴とするゴミ袋を供給するゴミ箱構造。
【請求項２】
前記ゴミ箱本体底部の凸座は台形であることを特徴とする請求項１に記載のゴミ袋を供給するゴミ箱構造。
【請求項３】
前記ゴミ箱本体周縁面の収束ノッチ横にテープ固定装置を設置し、テープを装着することを特徴とする請求項１に記載のゴミ袋を供給するゴミ箱構造。
【請求項４】
前記テープ固定装置は枢軸、補助凸柱、及び、切割刀座からなることを特徴とする請求項３に記載のゴミ袋を供給するゴミ箱構造。
【請求項５】
前記リングは半円弧形であることを特徴とする請求項１に記載のゴミ袋を供給するゴミ箱構造。
【請求項６】
前記リングは弾性の棒状で、使用時に、円弧状に湾曲させて、前記ゴミ箱本体の凸座の係孔と結合することを特徴とする請求項１に記載のゴミ袋を供給するゴミ箱構造。
【考案の詳細な説明】
【技術分野】
【０００１】
本考案はゴミ袋を供給するゴミ箱構造に関し、特に、使用済みのゴミ袋をゴミ箱から上に引き出す時、直接、次のゴミ袋が出てくるゴミ箱構造に関するものである。
【背景技術】
【０００２】
一般のゴミ箱は、ゴミを捨てて清潔な環境を維持するもので、使用時に、ゴミ袋を合わせて使用することが多い。ゴミ箱内のゴミがいっぱいになったら、ゴミ袋を取り出して、ゴミを捨て、新しいゴミ袋をゴミ箱にセットする。しかし、使用したゴミ袋を取り出した後、換えのゴミ袋が見つからないことがあり、また、換えのゴミ袋をセットするのを忘れて、ゴミ箱が汚れ、ゴミ箱を洗浄しなければいけないことがある。
【０００３】
よって、図１、図２で示されるゴミ袋を供給するゴミ箱が提供され、ゴミ箱本体１０、承座２０、及び、ロール式ゴミ袋３０、からなる。ゴミ箱本体１０外側は、３つの凸柱１０１を設置し、下方は貫通槽孔１０２を設置し、承座２０内側は嵌固槽２０１、及び、承槽２０２を設置する。前述のゴミ箱本体１０の凸柱１０１は、承座２０の嵌槽２０２と対応して嵌固し、ゴミ箱本体１０と承座２０が結合する。上述の構造により、ロール式ゴミ袋３０は、承座２０の承槽２０２内に隠蔵され、ゴミ箱本体１０下方の貫通槽孔１０２を利用して、ロール式ゴミ袋３０の最前端のゴミ袋３０１をゴミ箱本体１０内部に引き入れ、更に、ゴミ箱本体１０と承座２０を嵌固結合する。ゴミ袋３０１を交換する時、元のゴミ袋３０１を上に引き上げると、次のゴミ袋３０１が出てきて、袋間の切り取り線により、ゴミが詰まったゴミ袋３０１を取り、次のゴミ袋３０１をセットすればよい。
【０００４】
しかし、上述の公知のゴミ袋を供給するゴミ箱は以下のような欠点がある。１．ゴミ袋３０１を閉じる時、ゴミ袋３０１の口を結ぶ必要があり、不便で、且つ、結び目がしっかりしていないと、ゴミ袋３０１内のゴミが飛び出る。２．使用時、ゴミ袋３０１は尖ったものにより破られて穴ができ、ゴミ袋３０１中の汚水が漏れ、ゴミ箱本体１０の貫通槽孔１０２からロール式ゴミ箱３０、及び、承座２０上に流れ、次のゴミ袋３０１を出す時に、べたべたになり、不衛生である。
【考案の開示】
【考案が解決しようとする課題】
【０００５】
本考案の目的は、ゴミ袋を供給するゴミ箱構造を提供し、上述の問題を改善することにある。
【課題を解決するための手段】
【０００６】
本考案のゴミ袋を供給するゴミ箱構造は、ゴミ箱本体、リング、ロール式ゴミ袋、及び、テープからなる。ゴミ箱本体底部は上向けに隆起した凸座を有し、凸座周囲に集水槽を形成し、内部は容置空間を形成する。凸座頂面は長槽孔を設置し、内部の両長壁面は少なくとも一組の係孔を有する。また、ゴミ箱本体頂縁に収束ノッチを設置し、周縁面上端にテープ固定装置を設置する。リング両端はフックを設置し、ゴミ箱本体の凸座の係孔と結合し、ロール式ゴミ袋はゴミ箱本体の容置空間内に隠蔵され、リングの支承を受けて固定し、最前線のゴミ袋は、凸座の槽孔によりゴミ箱本体内に穿入し、テープは、ゴミ箱本体のテープ固定装置上に設置される。これにより、ゴミ袋を取り出すとき、直接、次のゴミ袋を引き出して使用することができる。
【考案の効果】
【０００７】
本考案の構造により、ゴミ袋を取り出すとき、直接、次のゴミ袋を引き出して使用することができ、使用が簡単で、衛生的で、構造中のリングの成型金型は構造が簡単で、金型コストが安価であるといった長所が得られる。
【考案を実施するための最良の形態】
【０００８】
図３〜図５で示されるように、本考案は、ゴミ箱本体１、二リング２と、ロール式ゴミ袋３、及び、テープ４からなる。ゴミ箱本体１底部は上向けに隆起した台形の凸座１１を有し、凸座１１周囲に集水槽１２を形成し、凸座１１内部は容置空間１３を形成する。凸座１１頂面中央に、長槽孔１１１を設置し、内部の両長壁面に相対する二組の係孔１１２を設置する。また、ゴミ箱本体１頂縁に収束ノッチ１４を設置し、周縁面上端の収束ノッチ１４横にテープ固定装置１５を設置する。テープ固定装置１５は、枢軸１５１、補助凸柱１５２、及び、切割刀座１５３からなり、リング２は半円弧形で、両端にそれぞれフック２１を有し、ロール式ゴミ袋３は、所定数量の頭尾が相接したゴミ袋３１を円筒状に巻き、袋体間に切り取り線（図示しない）を有し、テープ４は一般の物品である。
【０００９】
組み合わせ時、ロール式ゴミ袋３はゴミ箱本体１の容置空間１３内に隠蔵され、ゴミ箱本体１の凸座１１頂面の長槽孔１１１によりロール式ゴミ袋３の最前端のゴミ袋３１をゴミ箱本体１に穿入し、両リング２のフック２１は、自身の弾性により、下から上にゴミ箱本体１の凸座１１に設置された二組の係孔１１２と結合して、ロール式ゴミ袋３を支承固定する。テープ４はテープ固定装置１５の枢軸１５１上に設置され、且つ、テープ４は、一部が引き出されて凸柱１５２下側を繞過し、切割刀座１５３頂面に跨置され、本考案のゴミ袋を供給するゴミ箱が完成する。
【００１０】
図６と図７で示されるように、本考案の使用時、ロール式ゴミ袋３の最前端がゴミ箱本体１内のゴミ袋３１に穿入し、ゴミ袋３１全部が凸座１１の長槽孔１１１に達するまで上に引動され、ゴミ袋３１がゴミ袋箱本体１に設置され、且つ、袋口をゴミ箱本体１開口に向かって展開して、折り返す。
【００１１】
ゴミ袋を取り替えたい時、図８で示されるように、ゴミ袋３１の袋口を上に引き、ゴミ箱本体１の収束ノッチ１４を引動し、ひねると、ゴミ袋３１の袋口が収束ノッチ１４内に収束し、テープ４を少し引き出して、切割刀座１５３により裁断し、収束したゴミ袋３１の袋口をテープで閉じればよい。続いて、閉じられたゴミ袋３１を上に引き、次のゴミ袋３１を引き出し、袋体間の切り取り線により、ゴミが入ったゴミ袋３１を取り出し、次のゴミ袋３１をセットすればよい。
【００１２】
更に、ゴミ袋３１がなくなったら、両リング２の自身の圧縮により、両端のフック２１を係孔１１２から脱離させ、上述の方式で、新しいロール式ゴミ袋３を装着して継続使用できる。
【００１３】
また、リング２は弾性のある棒状で、使用時に、円弧状に湾曲させて、係孔１１２と結合する。
【００１４】
上述の具体例の構造により、本考案は以下のような長所が得られる。１．ゴミ袋３１の口を閉じて取り替えたい時、ゴミ箱本体１の収束ノッチ１４により袋口を閉じ、テープ４０、或いは、その他の帯体により繞過すればよく、簡単である。２．使用中のゴミ袋３１が破損して、袋内の汚水が漏れる時、凸座１１の形状設計により、汚水は直接凸座１１周囲の集水槽１２内に流れ、長槽孔１１１から流れ出して、ロール式ゴミ袋３を汚すことなく、衛生的である。３．リング２の成型金型は構造が簡単で、金型コストが安価である。
【図面の簡単な説明】
【００１５】
【図１】公知の立体分解図である。
【図２】公知の組み合わせ分解図である。
【図３】本考案の立体分解図である。
【図４】本考案の立体組み合わせ図である。
【図５】本考案の組み合わせ断面図である。
【図６】本考案のゴミ袋を引動動作を示す図である。
【図７】本考案の使用状態を示す図である。
【図８】本考案のゴミ袋を閉じる状態を示す図である。
【符号の説明】
【００１６】
１０    ゴミ袋本体
１０１  凸柱
１０２  貫通槽孔
２０    承座
２０１  嵌固槽
２０２  承槽
３０    ロール式ゴミ箱
３０１  ゴミ袋
１     
ゴミ袋本体
１１    凸座
１１１  長槽孔
１１２  係孔
１２    集水槽
１３    容置空間
１４    収束ノッチ
１５    テープ固定装置
１５１  枢軸
１５２  補助凸柱
１５３  切割刀座
２      リング
２１    フック
３      ロール式ゴミ袋
３１    ゴミ袋
４     
テープ
【図１】
0003143406.tif 000003
【図２】
0003143406.tif 000004
【図３】
0003143406.tif 000005
【図４】
0003143406.tif 000006
【図５】
0003143406.tif 000007
【図６】
0003143406.tif 000008
【図７】
0003143406.tif 000009
【図８】
0003143406.tif 000010